(57)【要約】【課題】エレベーターかご内に閉じ込められた乗客の救出に向かうエレベーター保守員やレスキュー隊員など関係者にも適切な情報を提供することにより連携が可能となり、救出をスムーズに進行できるエレベーターの閉じ込め救出システムの提供。【解決手段】故障判定回路２、エレベーター状態検出回路３、遠隔救出装置１４からのエレベーターの閉じ込め救出システムに関する諸情報を管理する情報提供装置を具備し、情報表示端末１６からのエレベーターの状態情報の入手要求に対して情報提供装置１５は要求のあったエレベーターの状態情報を電話回線１０を介して情報表示端末１６に送信することにより、かご内に閉じ込められた乗客、サービスセンター１１、エレベーター保守員またはレスキュー隊員などの関係者が情報を共有することにより連携が可能となる。【選択図】        図１
2004338860.tif 000002
【特許請求の範囲】
【請求項１】
エレベーターの電源を遮断及び投入する機能、前記エレベーターを低速で走行させる機能から成る閉じ込め救出回路、エレベーターの故障を判定する故障判定回路、かごの位置や着床レベル、安全装置の状態、ドアの開閉状態、押し釦の動作状態などのエレベーター状態検出回路、かご内の乗客と会話する通話装置、前記故障判定回路及びサービスセンターの情報提供装置からの救出処置情報をエレベーターかご内及び乗場に設置したメッセージ表示装置に表示するメッセージ制御回路をエレベーターに備え、前記装置を電話回線を介してサービスセンターの遠隔救出装置と接続し、前記エレベーターの状態を表示及びかご内の乗客と会話しながら、前記故障判定回路の判定結果に基づき前記いずれかの機能を制御可能な手段を備えた遠隔救出装置からなるエレベーターの閉じ込め救出システムにおいて、前記サービスセンターに前記エレベーターの状態情報及び救出処置情報の提供装置を具備し、救出に向かっている人が所持する情報表示端末から前記情報の提供要求があった場合、前記情報を送信して情報表示端末のメッセージ表示器に前記情報を表示するように構成したことを特徴とするエレベーターの閉じ込め救出システム。
【発明の詳細な説明】
【０００１】
【発明の属する技術分野】
本発明は、エレベーターの閉じ込め救出システムに関するものである。
【０００２】
【従来の技術】
従来、この種の装置としては、エレベーターの異常状態を検出してサービスセンターに通報する監視装置、サービスセンターからの異常状態に対する処置情報入力信号を受取り、これに対応するメッセージを選択する選択手段、選択されたメッセージを報知するメッセージ報知手段から構成され、メッセージ報知手段はエレベーターかご内及び乗場に設置されているものが知られている  （例えば、特許文献１参照。）。
【０００３】
【特許文献１】
特開平２−１１７５７５号公報
（第２頁左下欄３行−右下欄第７行、第２頁右下欄第１９行−第３頁右下欄第７行、第１図）
【０００４】
【発明が解決しようとする課題】
上述したような従来の情報提供手段では、かごに閉じ込められた人、乗場に居る人以外の存在は想定されておらず、救出に向かうエレベーター技術者（以下エレベーター保守員という）や消防署レスキュー隊に対して、時々刻々と変化するエレベーターの状態、かご内の状況等の情報を提供することができず、現場に到着してから状況把握を行わざるを得ず、救出の遅れにつながる恐れが生ずる。
【０００５】
本発明はこのような事情に鑑みてなされたもので、その目的は、エレベーターかご内に閉じ込められた乗客の救出作業を速やかに開始することが可能なエレベーターの閉じ込め救出システムを提供することにある。
【０００６】
【課題を解決するための手段】
上述した目的を達成するため本発明は、エレベーターの電源を遮断及び投入する機能、前記エレベーターを低速で走行させる機能から成る閉じ込め救出回路、エレベーターの故障を判定する故障判定回路、かごの位置や着床レベル、安全装置の状態、ドアの開閉状態、押し釦の動作状態などのエレベーター状態検出回路、かご内の乗客と会話する通話装置、前記故障判定回路及びサービスセンターの情報提供装置からの救出処置情報をエレベーターかご内及び乗場に設置したメッセージ表示装置に表示するメッセージ制御回路をエレベーターに備え、前記装置を電話回線を介してサービスセンターの遠隔救出装置と接続し、前記エレベーターの状態を表示及びかご内の乗客と会話しながら、前記故障判定回路の判定結果に基づき前記いずれかの機能を制御可能な手段を備えた遠隔救出装置からなるエレベーターの閉じ込め救出システムにおいて、前記サービスセンターに前記エレベーターの状態情報及び救出処置情報の提供装置を具備し、救出に向かっている人が所持する情報表示端末から前記情報の提供要求があった場合、前記情報を送信して情報表示端末のメッセージ表示器に前記情報を表示するように構成したことを特徴とする。
【０００７】
上記のように、救出に向かっている人が所持するメッセージ装置から前記情報の提供要求があった場合、前記情報を送信して前記メッセージ装置に前記情報を表示するようにしたので、現場に向かっている途中に時々刻々変化するエレベーターの状態情報や救出処置情報等を入手して救出方法、手順等を予め検討可能であるから、現場に着いたら即座に救出活動を開始でき、適切な方法で速やかに救出することが可能である。
【０００８】
【発明の実施の形態】
以下、本発明の一実施形態を図１を用いて詳細に説明する。
【０００９】
図１において、１はエレベーター自体の制御回路、２はエレベーターの故障を判定する故障判定回路、３はかごの位置や着床レベル、安全装置の状態、ドアの開閉状態、押し釦の動作状態などのエレベーター状態検出回路、４はエレベーターの電源を遮断及び投入する機能、エレベーターを低速で走行させる機能から成る閉じ込め救出回路、５は故障判定回路２及びサービスセンターの情報提供装置からの救出処置情報をエレベーターかご内及び乗場に設置したメッセージ表示装置に表示するメッセージ制御回路、６は乗場に設置したメッセージ表示装置、７はかご内に設置したメッセージ表示装置、８はかご内の乗客と会話する通話装置、９はエレベーターの各回路及び通話装置８の情報を電話回線１０を介してサービスセンターに接続するための送受信器、１１はエレベーターの状態を遠隔で監視することを主目的としたサービスセンター、１２はサービスセンターの各装置及び通話装置１３の情報を電話回線１０を介してエレベーターに接続するための送受信器、１４は故障判定回路２の判定結果に基づき閉じ込め救出回路４の機能を制御する遠隔救出装置、１５は故障判定回路２、エレベーター状態検出回路３、遠隔救出装置１４からのエレベーターの閉じ込め救出システムに関する諸情報を管理する情報提供装置、１６は電話回線１０を介してサービスセンター１１に接続するための送受信器１７、サービスセンター１１の情報提供装置１５からの救出処置情報をメッセージ表示器１９に表示するメッセージ制御回路１８から構成される情報表示端末である。
【００１０】
次に、遠隔閉じ込め救出の動作を図１を参照しながら詳細に説明する。まず、エレベーター運転中に何らかの故障が発生して乗客がかご内に閉じ込められたことを故障判定回路２で検出すると、電話回線１０を介してサービスセンサー１１の遠隔救出装置１４に伝えられる。遠隔救出装置１４はエレベーター状態検出回路３からの情報と合わせて閉じ込めが発生しているエレベーターの状態を解析する。遠隔救出装置１４は、その解析結果とエレベーターの状態、通話装置８及び通話装置１３を使用して乗客やかご内の状況から乗客が閉じ込められている状況を判断して、遠隔から救出が可能と判断した場合は、閉じ込め救出回路４に対して何種類かのエレベーターを制御するための指令を送信する。同時に遠隔救出装置１４は解析結果、エレベーターの状態情報、エレベーターを制御するための指令情報を情報提供装置１５とメッセージ制御回路５に送信する。メッセージ制御回路５は遠隔救出装置１４から送られてくる情報から表示メッセージを作成し、乗場やかご内メッセージ表示装置６、７に送信しメッセージを表示する。ここで、表示メッセージを作成するための情報は遠隔救出装置１４から送られてくる例を示したが、故障情報やエレベーター状態情報は故障判定回路２、エレベーター状態検出回路３から直接受け取る構成でもよい。
【００１１】
このようにして、かご内に閉じ込められた乗客の救出を目的として閉じ込め救出回路４は遠隔救出装置１４の指令に基づきエレベーター制御回路１に対して各種制御信号を送信する。その結果、エレベーターの故障状態は刻々変化し、その状態はエレベーター状態検出回路３、電話回線１０を介してサービスセンター１１の遠隔救出装置１４に再度伝えられる。遠隔救出装置１４はエレベーターの状態変化を捕らえ、その変化に応じた新たな救出指令を閉じ込め救出回路４に伝える。同時に遠隔救出装置１４は変化したエレベーター状態、新たな救出指令をメッセージ制御回路５、情報提供装置１５に伝える。かご内に閉じ込められた乗客はかご内メッセージ表示装置７を介して救出のための対応状況を知ることができ、不安感や焦燥感を排除することができる。
【００１２】
一方、乗客がかご内に閉じ込められたことを故障判定回路２、電話回線１０を介してサービスセンター１１に伝えた場合は遠隔救出装置１４による救出処理と並行してエレベーター保守員またはレスキュー隊の出動を要請する。要請を受けたエレベーター保守員またはレスキュー隊は適切な交通手段を利用して現場に直行するが、前記遠隔閉じ込め救出システムにより閉じ込め状態は刻々変化しているため、最新のエレベーター状態情報の入手は今後の対応方法を判断する上で重要な情報となる。そこで、エレベーター保守員またはレスキュー隊員は情報表示端末１６により閉じ込めが発生しているエレベーターの状態情報の入手要求を電話回線１０を介してサービスセンター１１の情報提供装置１５に伝える。情報提供装置１５は要求のあったエレベーターの状態情報を電話回線１０を介して情報表示端末１６に送信する。送信された情報はメッセージ制御回路１８によりメッセージ表示装置１９に表示する。エレベーター保守員またはレスキュー隊員はこの情報により今後の対応方法を適切に判断することが可能となる。ここで、情報表示端末１６の利用は電話回線１０が利用可能な場所であれば機能を発揮するため、例えば移動中の車内などでの利用も可能である。
【００１３】
このようにして、かご内に閉じ込められた乗客、サービスセンター１１、エレベーター保守員またはレスキュー隊員などの関係者が情報を共有することによりスムーズな救出を可能とする。
【００１４】
以上の実施形態によれば、乗客がエレベーターかご内に閉じ込められた時、遠隔操作によりエレベーターとその周辺の機器を操作して乗客を救出するエレベーターの遠隔閉じ込め救出システムにおいて、エレベーターの利用者、遠隔で救出を試みるサービスセンター員以外の救出に向かうエレベーター保守員やレスキュー隊など関係者が適切な情報を入手できるようになり、遠隔救出との適確な連携が可能となり、救出をスムーズに進行できる。
【００１５】
【発明の効果】
以上説明したように本発明によれば、エレベーターかご内に閉じ込められた乗客の救出作業を速やかに開始することが可能なエレベーターの閉じ込め救出システムを提供できる。
【図面の簡単な説明】
【図１】本発明の一実施形態の説明図である。
【符号の説明】
１  エレベーター制御回路
２  故障判定回路
３  エレベーター状態検出回路
４  閉じ込め救出回路
５  エレベーター側メッセージ制御回路
６  乗場メッセージ表示装置
７  かご内メッセージ表示装置
８  エレベーター側通話装置
９  エレベーター側送受信器
１０  電話回線
１１  サービスセンター
１２  サービスセンター側送受信器
１３  サービスセンター側通話装置
１４  遠隔救出装置
１５  情報提供装置
１６  情報表示端末
１７  情報表示端末側送受信器
１８  情報表示端末側メッセージ制御回路
１９  情報表示端末側メッセージ表示装置
【図１】
2004338860.tif 000003